(57)【要約】【課題】  勾配天井の支持部において、勾配ランナへのスタッドの差し込み長さを確保し、該勾配ランナへの荷重を小さくすることで、該支持部の強度を確保する。【解決手段】  勾配天井１０の支持部構造として、一方の壁面１１に突出して設けられる上側野縁１３と、他方の壁面１２に突出して設けられる下側野縁１４と、上側野縁の鉛直面１３ａに取付け固定され斜め下向きコ字状を呈する上側勾配ランナ２１と、下側野縁の鉛直面１４ａに取付け固定され斜め上向きコ字状を呈する下側勾配ランナ２２と、上端側が上側勾配ランナに差し込まれて保持され下端側が下側勾配ランナに差し込まれることで保持されるスタッド２３を備える。下側野縁の上面先端部を下側勾配ランナの取付面の上端よりも低く位置付けるとともに、下側野縁に固定される下側勾配ランナの鉛直な取付面２２ａの上側部分（２４）を、壁面方向に折り曲げ形成する。【選択図】        図１
2011032645.tif 000002
【特許請求の範囲】
【請求項１】
相対向する壁面に突設した上側および下側野縁の鉛直面に取付け固定され全体がほぼ斜めコ字状を呈する上側および下側勾配ランナと、これら間に差し込まれて保持されるスタッドを備え、相対向する壁面間に傾斜して掛け渡される勾配天井の支持部構造であって、
前記下側野縁の上面先端部を前記下側勾配ランナの取付面の上端よりも低く位置付けるとともに、
前記下側野縁に固定される下側勾配ランナの鉛直な取付面の上側部分を、壁面方向に傾斜させて形成したことを特徴とする勾配天井の支持部構造。
【請求項２】
請求項１記載の勾配天井の支持部構造において、
前記下側勾配ランナの取付面の壁面方向に傾斜した上側部分の傾斜角度は、前記勾配天井の勾配に対して直角以上とされていることを特徴とする勾配天井の支持部構造。
【請求項３】
請求項１または請求項２記載の勾配天井の支持部構造において、
前記下側勾配ランナは鋼製板材を折り曲げることにより形成されていることを特徴とする勾配天井の支持部構造。
【請求項４】
請求項１、請求項２または請求項３記載の勾配天井の支持部構造において、
前記下側野縁の先端部上縁が下側勾配ランナの取付面に形成された屈曲部に係合されることを特徴とする勾配天井の支持部構造。
【発明の詳細な説明】
【技術分野】
【０００１】
本発明は、屋内において所定の勾配で傾斜して配置される勾配天井に関し、特にこの勾配天井の支持部構造に関する。
【背景技術】
【０００２】
木造建築物等において、屋根の形状、あるいは装飾性などを目的として、屋内の天井を勾配天井とすることが広く行われている。
【０００３】
この種の勾配天井は、一般に、室内を形成する相対向する壁面の高さ位置が異なる部分から室内側に突出して設けられた上、下側野縁と、これらの上、下側野縁に取付け固定される上、下側勾配ランナと、これらの勾配ランナ間に掛け渡して設けられたスタッドなどからなる支持部の室内側に、耐火ボード等からなる天井材を取付け固定することにより構成されている（例えば、特許文献１参照）。
【先行技術文献】
【特許文献】
【０００４】
【特許文献１】特開２００１−２５４４７２号公報
【発明の概要】
【発明が解決しようとする課題】
【０００５】
ところで、上述した勾配天井の支持部構造によれば、勾配を急にした場合には、勾配ランナが傾斜した分だけ、該勾配ランナに対して保持されるスタッドの端部の差し込みできない部分の長さが長くなってしまう。すると、スタッドを受ける部分が壁から離れてしまい、結果として勾配ランナに大きな荷重（モーメント）が加わることになる。
【０００６】
したがって、この種の勾配天井の支持部構造では、大きな荷重を受けるためにランナの肉厚を厚くする等、支持部全体を堅牢に、しかも強固に構成することが必要となり、材料が増えることによるコスト上昇や、増えた材料で部材重量が増えることから、施工時の作業性の低下を招くという問題が生じる虞れがある。
【０００７】
本発明はこのような事情に鑑みてなされたものであり、勾配天井において勾配を急にした場合の勾配ランナ、特に下側勾配ランナへのスタッド下端側の差し込み長さを確保し、該勾配ランナへの荷重を小さくすることにより、勾配天井の支持部における強度を充分に確保することができる勾配天井の支持部構造を得ることを目的とする。
【課題を解決するための手段】
【０００８】
このような目的に応えるために本発明（請求項１記載の発明）に係る勾配天井の支持部構造は、相対向する壁面に突設した上側および下側野縁の鉛直面に取付け固定され全体がほぼ斜めコ字状を呈する上側および下側勾配ランナと、これら間に差し込まれて保持されるスタッドを備え、相対向する壁面間に傾斜して掛け渡される勾配天井の支持部構造であって、前記下側野縁の上面先端部を前記下側勾配ランナの取付面の上端よりも低く位置付けるとともに、前記下側野縁に固定される下側勾配ランナの鉛直な取付面の上側部分を、壁面方向に傾斜させて形成したことを特徴とする。
【０００９】
本発明（請求項２記載の発明）に係る勾配天井の支持部構造は、請求項１記載の勾配天井の支持部構造において、前記下側勾配ランナの取付面の壁面方向に傾斜した上側部分の傾斜角度は、前記勾配天井の勾配に対して直角以上とされていることを特徴とする。
【００１０】
本発明（請求項３記載の発明）に係る勾配天井の支持部構造は、請求項１または請求項２記載の勾配天井の支持部構造において、前記下側勾配ランナは鋼製板材を折り曲げることにより形成されていることを特徴とする。
【００１１】
本発明（請求項４記載の発明）に係る勾配天井の支持部構造は、請求項１、請求項２または請求項３記載の勾配天井の支持部構造において、前記下側野縁の先端部上縁が下側勾配ランナの取付面に形成された屈曲部に係合されることを特徴とする。
【発明の効果】
【００１２】
以上説明したように本発明に係る勾配天井の支持部構造によれば、下側野縁に固定される下側勾配ランナの鉛直な取付面の上側部分を、壁面方向に傾斜させて形成するようにしたので、勾配ランナ、特に下側勾配ランナに対してのスタッド下端部の差し込み長さを充分に確保することが可能であり、これにより下側勾配ランナへの荷重が小さくなり、これにより充分な支持強度を確保することができる等の種々優れた効果がある。
【００１３】
また、本発明によれば、下側勾配ランナの取付面の傾斜した上側部分の傾斜角度を勾配に対し直角以上としているから、スタッドの下端部の下側勾配ランナに対する差し込み長さを傾斜している部分に当接して位置決めされるまで差し込んで保持させることが可能で、上述した効果を最大限に発揮させ得るものである。
【００１４】
さらに、本発明によれば、下側勾配ランナを鋼製板材の折り曲げで形成しているから、簡単な構造であるにもかかわらず、この勾配ランナを簡単にしかも安価に加工することができる。
【００１５】
また、本発明によれば、下側野縁の先端部上縁が下側勾配ランナの取付面に形成された屈曲部に係合して位置決めされるように構成しているから、これらの部品の組み付けなどが容易に行え、位置決め作業も簡単である等の利点がある。
【図面の簡単な説明】
【００１６】
【図１】本発明に係る勾配天井の支持部構造の一実施形態を示し、要部構成の概略断面図である。
【図２】図１の勾配天井の支持部構造において、施工状態を説明するための説明図である。
【発明を実施するための形態】
【００１７】
図１および図２は本発明に係る勾配天井の支持部構造の一実施形態を示す。
これらの図において、全体を符号１０で示す勾配天井は、鋼製天井として構成されており、相対向する壁面１１，１２間に傾斜して掛け渡されている。
【００１８】
この勾配天井１０の支持部は、一方の壁面１１に突出して設けられる上側野縁１３と、他方の壁面１２に突出して設けられる下側野縁１４と、前記上側野縁１２の鉛直面１３ａに取付け固定され斜め下向きコ字状を呈する上側勾配ランナ２１と、前記下側野縁１４の鉛直面１４ａに取付け固定され斜め上向きコ字状を呈する下側勾配ランナ２２と、上端側が前記上側勾配ランナ２１に差し込まれて保持され、下端側が前記下側勾配ランナ２２に差し込まれることで保持されるスタッド２３とから構成されている。
【００１９】
ここで、上述した上側勾配ランナ２１と下側勾配ランナ２２とは、鋼製板材をほぼコ字状に折り曲げ形成することにより形成されている。すなわち、これらの勾配ランナ２１，２２は、上、下側野縁１３，１４の鉛直面１３ａ，１４ａに取付け固定される鉛直な取付面２１ａ，２２ａと、これらの取付面２１ａ，２２ａの上、下縁を折り曲げ形成することにより上、下側折り曲げ片２１ｂ，２１ｃ：２２ｂ，２２ｃとから構成されている。
【００２０】
なお、上側勾配ランナ２１においては、取付面２１ａの上、下縁から斜め下向きコ字状を呈するように、折り曲げ片２１ｂ，２１ｃが折り曲げ形成されている。
また、下側勾配ランナ２２は、取付面２２ａの上、下縁が斜め上向きコ字状を呈するように折り曲げ片２２ｂ，２２ｃが折り曲げ形成されている。そして、この下側勾配ランナ２２において、取付面２２ａの上側部分が、壁面方向に傾斜するように屈曲部を介して折り曲げ形成されている。
【００２１】
本発明によれば、上述した勾配天井１０の支持部構造において、下側野縁１４の上面先端部を、下側勾配ランナ２２の取付面２２ａの上端よりも低く位置付けるとともに、前記下側野縁１４に固定される下側勾配ランナ２２の鉛直な取付面２２ａの上側部分（２４）を、壁面方向に傾斜するように折り曲げ形成したところに特徴を有している。
【００２２】
ここで、上述した下側勾配ランナ２２の取付面２２ａの上側の折り曲げ部分２４の傾斜角度は、勾配天井１０の勾配に対し直角、またはそれ以上とされている。
【００２３】
したがって、このような構成によれば、該下側勾配ランナ２２に対してのスタッド２３の下端部２３ｂの差し込みを、上記の折り曲げ部分２４の存在によって、該折り曲げ部分２４に当接するまで差し込むことが可能であり、これにより差し込み長さを必要かつ充分に確保することができる。そして、このように勾配ランナ２２へのスタッド２３の差し込み長さを確保し得る構成では、勾配ランナ２２への荷重が小さくなり、これにより充分な支持強度を確保することができるのである。
【００２４】
ここで、上述した勾配天井１０の支持部は、図２に示すようにして組み立てられる。
すなわち、相対向する壁面１１，１２にそれぞれ勾配天井の傾斜角度に合わせて上下に段差をもって上側野縁１３、下側野縁１４がビス（図示せず）等で取付け固定されている。
【００２５】
このような上側野縁１３、下側野縁１４の鉛直面１３ａ，１４ａに対し、上側勾配ランナ２１、下側勾配ランナ２２が、それぞれの鉛直な取付面２１ａ，２２ａを当接させた状態で、ビス１５，１６で取付け固定されている。なお、図２中３０は打ち込み機である。
【００２６】
ここで、上側勾配ランナ２１、下側勾配ランナ２２は、それぞれ全体がほぼコ字状を呈するように形成されており、上側折り曲げ片２１ｂ，２２ｂおよび下側折り曲げ片２１ｃ，２２ｃを備えている。なお、上側勾配ランナ２１の上側折り曲げ片２１ｂには、前記ビス１５をランナ２１の取付面２１ａを介して野縁１３に打ち込むための穴２１ｄが形成されている。
【００２７】
そして、上、下の勾配ランナ２１，２２間にスタッド２３の上端部２３ａ、下端部２３ｂを順次差し込んで保持させることにより、固定する。
【００２８】
なお、上、下の勾配ランナ２１，２２の折り曲げ片２１ｂ，２１ｃ：２２ｂ，２２ｃの長さは、スタッド２３を所要の状態で差し込み保持できる程度の長さをもって形成されている。また、このスタッド２３の長さは、上、下の勾配ランナ２１，２２間の間隔寸法に上、下の勾配ランナ２１，２２での差し込み保持長さを加えた長さにほぼ等しい長さで形成されている。
【００２９】
また、上述した長さをもつスタッド２３は、始めに、図２に示すように、上側勾配ランナ２１側に上端部２３ａを差し込んで保持させるとともに、下端部２３ｂを下側勾配ランナ２２に差し込んで保持させることで、両勾配ランナ２１，２２間に勾配した状態で掛け渡されるようになっている。
【００３０】
なお、スタッド２３は、図２の紙面方向に長尺に形成されている下側勾配ランナ２２に対し、該紙面方向に斜めに傾斜させて上、下折り曲げ片２２ｂ，２２ｃ間に差し込むできるようにすることで組立可能である。
【００３１】
以上のようにすれば、スタッド２３の下端部２３ｂを、下側勾配ランナ２２の上、下の折り曲げ片２２ｂ，２２ｃ間に差し込んで保持させることができるものである。そして、この差し込み保持させる際の差し込み長さを最大限に確保することが可能であり、これにより勾配ランナ２２への荷重が小さくなり、これにより充分な支持強度を確保することができる。
【００３２】
特に、このような構成において、スタッド２３の勾配ランナ２２への差し込み長さを最大にするには、勾配天井１０の傾斜角度に合わせて折り曲げ角度を設定すればよい。
【００３３】
そして、このようにして組み立てられる支持部に、耐火ボード等からなる天井材２６を固定金具を介して固定することで、勾配天井１０が形成されることになる。
【００３４】
なお、本発明は上述した実施の形態で説明した構造には限定されず、勾配天井１０の支持部構造を構成する各部の形状、構造等を適宜変形、変更し得ることはいうまでもない。
【符号の説明】
【００３５】
１０  勾配天井
１１  壁面
１２  壁面
１３  上側野縁
１３ａ  鉛直面
１４  下側野縁
１４ａ  鉛直面
１５  ビス
１６  ビス
２１  上側勾配ランナ
２１ａ  鉛直な取付面
２２  下側勾配ランナ
２２ａ  鉛直な取付面
２３  スタッド
２３ａ  上端部
２３ｂ  下端部
２４  折り曲げ部分（傾斜部分）
２６  天井材
３０  打ち込み機
【図１】
2011032645.tif 000003
【図２】
2011032645.tif 000004